(57)【要約】【課題】使用頻度の高い時間帯を設定し、使い勝手の良い電子装置および省電力方法を、提供する。【解決手段】ステップ１１６において、混雑帯か否かを判断する。ここで、混雑帯は、表示部を常に表示しており連続して打刻し得るので、連続動作モードである。ステップ１１８において、表示部を点灯させる。従って、データに対するアクセス頻度の高いアクセス時間帯すなわち出退勤の時間に対応する打刻頻度の高い混雑帯を設定し、表示部をタッチ操作し得る状態すなわち表示（点灯）するので、使い勝手が良くなる。また、ステップ１００の省電力モードとステップ１１６の混雑帯すなわち連続動作モードとに切替わるので、人の出入りの少ない時間帯では省電力モードで電力を節約できると共に、出勤時または退勤時の混雑する時間帯では連続動作モードで連続的にアクセスし得るので、使用者のストレスが軽減でき且つ使い勝手が良くなる。【選択図】図３
2009146018.tif 000002
【特許請求の範囲】
【請求項１】
データを表示する表示手段と、
上記データに対するアクセス頻度の高いアクセス時間帯を設定すると共に、設定される上記アクセス時間帯には上記表示手段を表示させる制御手段と、
を備えることを特徴とする電子装置。
【請求項２】
所定時間内の入力データに基づいてアクセスの程度を時間区分し、最もアクセス数が多い時間区分または閾値以上の時間区分を上記アクセス時間帯に設定することを特徴とする請求項１に記載の電子装置。
【請求項３】
上記表示手段が無表示となる省電力モード、および上記アクセス時間帯において上記表示手段を表示させる連続動作モードを切替設定することを特徴とする請求項１または請求項２に記載の電子装置。
【請求項４】
データに対するアクセス頻度の高いアクセス時間帯に、表示手段を表示させることを特徴とする省電力方法。
【発明の詳細な説明】
【技術分野】
【０００１】
本発明は、ＬＣＤなどの表示素子を備える電子装置および省電力方法に関するものであり、特に電源を長時間に亘って投入する電子装置および省電力方法に関する。
【背景技術】
【０００２】
電子装置の中には、電源を長時間に亘って投入しておくものがある。例えば、タイムレコーダなどは、通常２４時間に亘り電源を投入した状態で使用される。そして、タイムレコーダの中には、待機時において、消費電力を軽減するために所定時間操作がない場合、表示画面を無表示（すなわち、消灯）し且つ通信機器またはカードリーダなどの周辺モジュールをも待機させる省電力モードを備えているものがある。
【０００３】
なお、従来では、使用されない時には表示装置を節電表示し、使用が予想されるときには自動的に節電表示を解除する技術が開示されている（例えば、特許文献１参照）。
【特許文献１】特開２００２−８０８０公報
【発明の開示】
【発明が解決しようとする課題】
【０００４】
ところで、上述した省電力モードを備えるタイムレコーダでは、省電力モード状態でＬＣＤなどの表示素子へタッチすると、画面が表示されて通常の連続動作モードになる。即ち、省電力モードから連続動作モードに切替えて打刻するには、先ずタッチバネルを操作し、この操作によってモードが切替わり、その後打刻することになる。従って、使用者にとっては、タッチパネルの操作およびモード切替時間を待つなどストレスの原因になると共に、使い勝手が悪い。
【０００５】
なお、特許文献１に係る技術は、使用が予想されるときには自動的に節電表示を解除するもので、アクセス（使用）頻度を考慮するものではない。
【０００６】
そこで、本発明は、使用頻度の高い時間帯を設定し、使い勝手の良い電子装置および省電力方法を、提供することを目的とする。
【課題を解決するための手段】
【０００７】
本発明に係る電子装置は、データを表示する表示手段と、上記データに対するアクセス頻度の高いアクセス時間帯を設定すると共に、設定される上記アクセス時間帯には上記表示手段を表示させる制御手段と、を備える。また、本発明に係る省電力方法は、データに対するアクセス頻度の高いアクセス時間帯に、表示手段を表示させる。
【０００８】
なお、所定時間内の入力データに基づいてアクセスの程度を時間区分し、最もアクセス数が多い時間区分または閾値以上の時間区分を上記アクセス時間帯に設定しても良い。また、上記表示手段が無表示となる省電力モード、および上記アクセス時間帯において上記表示手段を表示させる連続動作モードを切替設定しても良い。
【発明の効果】
【０００９】
本発明に係る電子装置および省電力方法では、データに対するアクセス頻度の高いアクセス時間帯すなわち使用頻度の高い時間帯を設定し、表示手段を使用し得る状態すなわち表示するので、使い勝手が良くなる。
【００１０】
なお、本発明に係る電子装置では、過去のデータを参照することにより、アクセス時間帯を自動的に設定し得るので、アクセス時間帯の設定を容易かつ確実にできる。また、本発明に係る電子装置において、省電力モードと連続動作モードとを切替設定し得るので、省電力モードでは電力を節約できると共に、連続動作モードでは連続的にアクセスし得るので、使用者のストレスが軽減でき且つ使い勝手が良くなる。
【発明を実施するための最良の形態】
【００１１】
以下、図１および図２に基づいて、本発明の一実施形態である電子装置および省電力方法について説明する。本実施形態では、電子装置をタイムレコーダとし、このタイムレコーダは非接触ＩＣカードによって打刻データを記録する例として説明する。なお、図１は本実施形態におけるタイムレコーダの斜視図、図２は図１に示すタイムレコーダのブロック図である。
【００１２】
（タイムレコーダの概略構成）
図１に示すように、タイムレコーダ１０の表面には、ＬＣＤタッチパネルなどで構成される表示部１２と、一点鎖線で示す非接触ＩＣカード５０から打刻者のＩＤデータを受信するアンテナ１６が配置されている。また、タイムレコーダ１０の底面には、図２に示すコンピュータＰＣを接続するためのＬＡＮコネクタ２２（二点鎖線参照）が配置されている。
【００１３】
（タイムレコーダの制御系に関する構成）
図２に示すように、タイムレコーダ１０は、ＣＰＵ３０と、不揮発性メモリであるＲＯＭ３２と、揮発性のＲＡＭ３４と、ＩＤリーダ部３６と、インターフェースＩ／Ｆと、表示部１２と、を備える。制御手段であるＣＰＵ３０は、タイムレコーダ１０の全体的な動作を司り、たとえば後述する操作キー１３が操作された場合に、その操作に基づく処理を行う。
【００１４】
表示手段である表示部１２は、図１に示すように、出勤などを表示する操作キーまたは現在時刻などを表示する。即ち、表示部１２は、上述したようにタッチパネルで構成されており、タッチパネル上の操作キー１３（図２参照）をタッチ操作することによって各種の次画面へと切替わる。例えば、図１に示す出勤などのタッチキーをタッチすると、「カードを受付中」が表示部１２に表示される。
【００１５】
記録手段であるＲＯＭ３２は、タイムレコーダ１０に各種の処理を制御するプログラムを記憶すると共に、打刻データまたはアクセス時間帯データなども記憶する。このアクセス時間帯データは、例えば打刻データに対するアクセス頻度の高い時間帯を示すものである。具体的には、アクセス時間帯は出勤時または退勤時における打刻で、混雑する時間帯である。ＲＡＭ３４は、各種データの読み書き用の記録域を有し、この記録域にワークメモリなどが記録される。
【００１６】
ＩＤリーダ部３６は、図１に示すアンテナ１６から受信するＩＤデータを読み出す。インターフェースＩ／Ｆは、コンピュータＰＣが接続される。なお、ＣＰＵ３０には時計カウンタ（ＲＴＣ）１８が接続されており、この時計カウンタ１８には発振回路１４が接続されている。時計カウンタ１８にはメモリ２０およびリチウム電池２４が接続されている。
【００１７】
また、タイムレコーダ１０はプラグ４０を備え、このプラグ４０は商用交流電源となるコンセントに接続される。プラグ４０およびＣＰＵ３０の間には変圧・整流回路３８が接続されており、この変圧・整流回路３８により交流は直流となる。そして、タイムレコーダ１０は、通常２４時間に亘って電源が投入されている。
【００１８】
（本実施形態の作用）
図３に示すフローチャートに基づき、省電力モードおよび混雑時間帯（以下、混雑帯ともいう）に関する処理を説明する。ここで、なお、図２に示すタイムレコーダ１０における処理は、タイムレコーダ１０のＣＰＵ３０によって実行され、図３などのフローチャートで表される。これらのプログラムは、予めタイムレコーダ１０のＲＯＭ３２（図２参照）のプログラム領域に記憶されている。
【００１９】
（省電力モード）
図３に示すように、ステップ１００において、省電力モードか否かを判断する。ここで、省電力モードとは、待機時において、消費電力を軽減するため所定時間操作がない場合、表示画面を消灯して無表示にするモードである。なお、省電力モードは、表示画面を無表示にする他に、アンテナ１６または通信機器などの周辺モジュールをも待機させる場合を含む。
【００２０】
ステップ１００が否定の場合すなわち省電力モードでない場合には、ステップ１０２において、表示部１２が消灯設定されているか否かを判断する。ステップ１０２が肯定の場合すなわち消灯設定されている場合には、ステップ１０４において、表示部１２を消灯（すでに消灯の場合には消灯を継続）する。この場合、消費電力は軽減する。
【００２１】
ステップ１０６では、タッチパネルにタッチされ入力されたか否かを判断する。ステップ１０６が否定の場合すなわちタッチパネルにタッチされない場合には、ステップ１００に戻り、その後の処理を行う。ステップ１０６が肯定の場合すなわちタッチパネルにタッチされた場合、またはステップ１０２が否定の場合すなわち消灯設定されていない場合には、ステップ１０８において、表示部１２を点灯（すなわち表示）させる。なお、すでに表示部１２が点灯している場合には、点灯を継続させる。
【００２２】
ステップ１１０において、出勤または退勤などの操作キーがタッチ操作されたか否かを判断する。ステップ１１０では、操作キーが操作されるのを所定時間が経過するまで待ち、所定時間経過後はステップ１００に戻る。ステップ１１０が肯定の場合すなわち操作キーが操作された場合には、ステップ１１２において、図１に示すカード５０がアンテナ１６にかざされカード５０を検出したか否かを判断する。
【００２３】
ステップ１１２が肯定の場合すなわちカード５０が検出された場合には、ステップ１１４において、打刻される。即ち、打刻時刻を含む打刻データが図１に示すＲＯＭ３２に記憶される。なお、ステップ１１４ではカード５０が検出されるのを所定時間が経過するまで待ち、所定時間経過後はステップ１００に戻る。
【００２４】
ステップ１００が肯定の場合すなわち省電力モードの場合には、ステップ１１６において、混雑帯か否かを判断する。ここで、混雑帯は、表示部１２を常に表示しており連続して打刻し得るので、連続動作モードである。
【００２５】
ステップ１１６が否定の場合すなわち混雑帯（以下、連続動作モードともいう）ではない場合には、ステップ１０２に進む。なお、混雑帯の設定については、後述する。ステップ１１６が肯定の場合すなわち混雑帯の場合には、ステップ１１８において、表示部１２を点灯させる。なお、すでに表示部１２が点灯している場合には、点灯を継続させる。
【００２６】
ステップ１２０において、図１に示すカード５０がアンテナ１６にかざされカード５０を検出したか否かを判断する。ステップ１２０が肯定の場合すなわちカード５０が検出された場合には、ステップ１２２において、打刻される。ステップ１２０ではカード５０が検出されるのを所定時間が経過するまで待ち、所定時間経過後はステップ１００に戻る。
【００２７】
本実施形態によれば、データに対するアクセス頻度の高いアクセス時間帯すなわち出退勤の時間に対応する打刻（使用）頻度の高い時間帯（混雑帯）を設定し、表示部１２をタッチ操作し得る状態すなわち表示（点灯）するので、使い勝手が良くなる。また、本実施形態によれば、ステップ１００の省電力モードとステップ１１６の混雑帯すなわち連続動作モードとに切替わるので、人の出入りの少ない時間帯では省電力モードで電力を節約できると共に、出勤時または退勤時の混雑する時間帯では連続動作モードで連続的にアクセスし得るので、使用者のストレスが軽減でき且つ使い勝手が良くなる。
【００２８】
（混雑帯設定モード）
図４に基づき、混雑帯設定モードについて説明する。図４の例は、所定期間の打刻データを集計して混雑帯を自動的に設定するものである。たとえば、１日の全ての出退勤別の打刻データを、時間別に区分し蓄積する。なお、時間区分を３０分毎または１５分毎など細分化しても良い。また、出退勤をそれぞれ個別にしても良く、出勤のみまたは退勤のみとしても良い。
【００２９】
図４に示すステップ１３０において、たとえば一ヶ月毎（このデータ蓄積期間は任意に変更でき、またデータ蓄積の起点も任意である）に、図２に示すＲＯＭ３２に記憶されている全打刻時刻を所定時間毎に区分する（図５参照）。
【００３０】
ステップ１３２において、区分内の打刻数が最も多いか否かを判断する。ステップ１３２が肯定の場合すなわち最も打刻数が多い場合には、ステップ１３４において、その時間区分を混雑帯Ａに設定する。即ち、図５に示すように、混雑帯Ａにあたる８時から９時までの間は、表示部１２（図１参照）を点灯するので、操作キーが表示される。
【００３１】
ステップ１３６において、他の時間区分の打刻数が混雑帯Ａに対し閾値以上か否かを判断する。ステップ１３６は、混雑帯の時間幅に柔軟性を持たせるために、フィルタ機能を付したものである。例えば、閾値は混雑帯Ａの５０パーセント以上に設定している。なお、この閾値は、管理者などが任意に設定できる。また、時間区分の打刻数カウントは、出退勤を含めて行っても良く、また個別などとしても良い。
【００３２】
ステップ１３６が肯定の場合すなわち閾値以上の場合には、ステップ１３８において、混雑帯Ｂに設定する。本例の場合、図５に示すように、７時から８時までの時間区分および１７時から１８時までの時間区分を、混雑帯Ｂに設定する。
【００３３】
本実施形態によれば、過去のデータを参照することにより、アクセス時間帯を自動的に設定し得るので、アクセス時間帯の設定を容易かつ確実にできる。
【００３４】
また、混雑帯の設定は、例えば管理者などが出退勤の時間に対応するように設定しても良い。例えば、始業開始時間が午前９時の場合であれば、管理者などは８時３０分から９時を混雑帯としてＲＯＭ３２に記憶させる。
【００３５】
なお、本発明はタイムレコーダの他に、ＬＣＤなどの表示素子を備え、且つ電源を長時間に亘って投入する電子装置に適用でき、例えば自動販売装置・パーソナルコンピュータ等にも好適である。また、上記実施形態において説明した各プログラムの処理の流れ（図３および図４参照）は一例であり、本発明の主旨を逸脱しない範囲内において適宜変更可能である。
【００３６】
例えば、図３に示すステップ１０２乃至１０６の処理を、ステップ１１６の処理後に行うように設定しても良い。この場合、表示部消灯の設定をオフにしておけば、カード５０をかさすだけで打刻は終了する。また、省電力モードの場合では、表示部１２を点灯したままで、その他のモジュールを省電力に設定しても良い。
【図面の簡単な説明】
【００３７】
【図１】本発明に係る一実施形態のタイムレコーダの斜視図である。
【図２】図１に示すタイムレコーダのブロック図である。
【図３】図２に示すタイムレコーダにおける省電力モードおよび混雑帯に関するフローチャート図である。
【図４】図３に示す混雑帯を設定するための混雑帯設定モードのフローチャート図である。
【図５】図４に示す混雑帯設定モードで参酌する打刻数のテーブル図である。
【符号の説明】
【００３８】
１０    タイムレコーダ（電子装置）
１２    表示部（表示手段）
２０    ＣＰＵ（制御手段）
３２    ＲＯＭ（記録手段）
【図１】
2009146018.tif 000003
【図２】
2009146018.tif 000004
【図３】
2009146018.tif 000005
【図４】
2009146018.tif 000006
【図５】
2009146018.tif 000007